(57)【要約】【課題】  市販の一般的な帽子の鍔に簡単に取り付けることができる着脱式の顔面保護具を提供する。【解決手段】  帽子５０の鍔５１の前端縁に垂下した状態に取付可能な着脱式の顔面保護具１０を、帽子５０の着用者の顔面を覆うためのメッシュ状の顔面被覆シート１１と、顔面被覆シート１１の上縁中央部に設けられた中央クリップ１２と、顔面被覆シート１１の上縁左端部に設けられた左側クリップ１３と、顔面被覆シート１１の上縁右端部に設けられた右側クリップ１４とを備えたものとした。この顔面保護具１０は、市販の一般的な帽子５０に容易に取り付けることができる。また、中央クリップ１２を鍔５１の前端縁中央部に挟持させた後、左側クリップ１３及び右側クリップ１４を、それぞれ鍔５１の前端縁左部及び前端縁右部に挟持させると、鍔５１の前端縁の長さにかかわらず、顔面保護具１０を左右対称でバランスよく取り付けることも可能である。【選択図】  図１
2014152432.tif 000002
【特許請求の範囲】
【請求項１】
帽子の鍔の前端縁に垂下した状態で取り付けるための着脱式の顔面保護具であって、
帽子の着用者の顔面を覆うためのメッシュ状の顔面被覆シートと、
顔面被覆シートの上縁中央部に設けられた中央クリップと、
顔面被覆シートの上縁における中央クリップが設けられた箇所から左側に所定間隔を隔てた箇所に設けられた左側クリップと、
顔面被覆シートの上縁における中央クリップが設けられた箇所から右側に所定間隔を隔てた箇所に設けられた右側クリップと
を備え、
中央クリップ、左側クリップ及び右側クリップで、それぞれ帽子の鍔の前端縁における中央部、左部及び右部を挟持することにより、帽子の鍔の前端縁に取り付けることができるようにしたことを特徴とする顔面保護具。
【請求項２】
帽子の鍔の前端縁に沿って湾曲させることが可能な弾性を有する保形フレームが、顔面被覆シートの上縁に沿って固定された請求項１記載の顔面保護具。
【請求項３】
保形フレームが、顔面被覆シートの上縁に沿って縫着された帯状のパイピング材の内側に収容された請求項２記載の顔面保護具。
【請求項４】
顔面被覆シートの上縁と左縁部とが為す角部及び顔面被覆シートの上縁と右縁部とが為す角部が切り欠いて形成された請求項１〜３いずれか記載の顔面保護具。
【請求項５】
顔面被覆シートの下縁と左縁部とが為す角部及び顔面被覆シートの下縁と右縁部とが為す角部が切り欠いて形成された請求項１〜４いずれか記載の顔面保護具。
【請求項６】
中央クリップ、左側クリップ及び右側クリップのそれぞれが、
その先端部に上向き歯が形成されるとともに、その左側縁及び右側縁における基端寄りの部分から上向きに左右一対の軸受部が形成された下板と、
その基端部に下向き突片が形成されるとともに、該下向き突片の左側縁及び右側縁に前記左右一対の軸受部に軸支するための左右一対の軸支部が形成された上板と、
その先端部に下向き歯が形成されるとともに、その基端部に下板の基端部に支持させるための支持片が形成された中板と
で構成され、
下板と中板との間に帽子の鍔を挟んだ状態で上板を下板に対して閉じることにより、中板の上面が前記下向き突片の下端で下側に押し付けられ、前記上向き歯と前記下向き歯とが帽子の鍔に喰い込んだ状態となるようにした請求項１〜５いずれか記載の顔面保護具。
【発明の詳細な説明】
【技術分野】
【０００１】
本発明は、帽子の鍔に取り付けることができる着脱式の顔面保護具に関する。
【背景技術】
【０００２】
草刈機を用いて草刈作業を行う際には、小石や小枝が跳ね上がり、作業者の顔面を直撃するおそれがある。このため、草刈機を用いる際には、顔面保護具で作業者の顔面を覆う必要がある。この種の顔面保護具は、これまでに種々のものが提案されており、帽子の鍔に取り付けることができるようにした着脱式のものも提案されている（例えば、特許文献１〜４を参照）。しかし、特許文献１〜４の顔面保護具は、それを取り付けるための仕掛けが予め施された帽子にしか取り付けることができず、市販の一般的な帽子に簡単に取り付けることができるものとはなっていなかった。
【先行技術文献】
【特許文献】
【０００３】
【特許文献１】実開昭６０−０７１６２９号公報
【特許文献２】実公昭６３−０３３９３３号公報
【特許文献３】特開２００２−０６１０１６号公報
【特許文献４】実公昭３２−００１０９９号公報
【発明の概要】
【発明が解決しようとする課題】
【０００４】
本発明は、上記課題を解決するために為されたものであり、市販の一般的な帽子の鍔に簡単に取り付けることができる着脱式の顔面保護具を提供するものである。
【課題を解決するための手段】
【０００５】
上記課題は、
帽子の鍔の前端縁に垂下した状態で取り付けるための着脱式の顔面保護具であって、
帽子の着用者の顔面を覆うためのメッシュ状の顔面被覆シートと、
顔面被覆シートの上縁中央部に設けられた中央クリップと、
顔面被覆シートの上縁における中央クリップが設けられた箇所から左側に所定間隔を隔てた箇所に設けられた左側クリップと、
顔面被覆シートの上縁における中央クリップが設けられた箇所から右側に所定間隔を隔てた箇所に設けられた右側クリップと
を備え、
中央クリップ、左側クリップ及び右側クリップで、それぞれ帽子の鍔の前端縁における中央部、左部及び右部を挟持することにより、帽子の鍔の前端縁に取り付けることができるようにしたことを特徴とする顔面保護具
を提供することによって解決される。
【０００６】
上記の顔面保護具においては、帽子の鍔の前端縁に沿って湾曲させることが可能な弾性を有する保形フレームを、顔面被覆シートの上縁に沿って固定することが好ましく、この保形フレームを、顔面被覆シートの上縁に沿って縫着された帯状のパイピング材の内側に収容することも好ましい。
【０００７】
また、上記の顔面保護具においては、顔面被覆シートの上縁と左縁部とが為す角部及び顔面被覆シートの上縁と右縁部とが為す角部を切り欠いて形成することも好ましい。さらに、上記の顔面保護具においては、顔面被覆シートの下縁と左縁部とが為す角部及び顔面被覆シートの下縁と右縁部とが為す角部を切り欠いて形成することも好ましい。
【０００８】
さらにまた、上記の顔面保護具においては、
中央クリップ、左側クリップ及び右側クリップのそれぞれを、
その先端部に上向き歯が形成されるとともに、その左側縁及び右側縁における基端寄りの部分から上向きに左右一対の軸受部が形成された下板と、
その基端部に下向き突片が形成されるとともに、該下向き突片の左側縁及び右側縁に前記左右一対の軸受部に軸支するための左右一対の軸支部が形成された上板と、
その先端部に下向き歯が形成されるとともに、その基端部に下板の基端部に支持させるための支持片が形成された中板と
で構成し、
下板と中板との間に帽子の鍔を挟んだ状態で上板を下板に対して閉じることにより、中板の上面が前記下向き突片の下端で下側に押し付けられ、前記上向き歯と前記下向き歯とが帽子の鍔に喰い込んだ状態となるようにすることも好ましい。
【発明の効果】
【０００９】
以上のように、本発明によって、市販の一般的な帽子の鍔に簡単に取り付けることができる着脱式の顔面保護具を提供することが可能になる。
【図面の簡単な説明】
【００１０】
【図１】本発明の顔面保護具を帽子の鍔に取り付けた状態を示した斜視図である。
【図２】本発明の顔面保護具を示した背面図である。
【図３】本発明の顔面保護具における顔面被覆シートの上縁周辺を図２におけるＸ−Ｘ面で切断した状態を示した断面図である。
【図４】本発明の顔面保護具における中央クリップ、左側クリップ及び右側クリップとして採用した挟持体を示した側面図である。
【発明を実施するための形態】
【００１１】
以下、本発明の顔面保護具の好適な実施態様について、図面を用いてより具体的に説明する。図１は、本発明の顔面保護具１０を帽子５０の鍔５１に取り付けた状態を示した斜視図である。図２は、本発明の顔面保護具１０を示した背面図である。本発明の顔面保護具１０は、図１に示すように、帽子５０の鍔５１の前端縁に垂下した状態で取り付けることが可能な着脱式のものとなっている。本発明の顔面保護具１０を取り付ける帽子５０は、鍔５１を有する形態のものであれば、その種類を特に限定されない。本発明の顔面保護具１０は、クラウンの下縁全周部に鍔が設けられたハット型の帽子に取り付けてもよいが、クラウン５２の下縁前部のみに鍔５１（前鍔）が設けられたキャップ型の帽子５０に取り付けるものとして好適である。本発明の顔面保護具１０は、顔面被覆シート１１と、中央クリップ１２と、左側クリップ１３と、右側クリップ１４とを備えたものとなっている。以下、各部についてより詳しく説明する。本明細書においては、特に断りのない限り、「左」という語句は、「帽子の着用者から見て左」という意味で用いており、「右」という語句は、「帽子の着用者から見て右」という意味で用いている。
【００１２】
［顔面被覆シート］
顔面被覆シート１１は、図１に示すように、帽子５０の着用者の顔面を覆うためのものであり、メッシュ状のシートで形成されている。顔面被覆シート１１のメッシュの目の寸法は、小さくしすぎると顔面被覆シート１１の視認性が低下し、大きくしすぎると顔面被覆シート１１で小石や小枝などの飛散物を遮断しにくくなる。このため、顔面被覆シート１１のメッシュの目の寸法は、通常、０．３ｍｍ角〜３ｍｍ角、好ましくは、０．５〜２ｍｍ角、より好ましくは０．７〜１．５ｍｍ角とされる。本実施態様の顔面保護具１０において、顔面被覆シート１１のメッシュの目の寸法は、約１ｍｍ角としている。
【００１３】
顔面被覆シート１１の形状は、帽子５０の着用者の顔面を覆うことができるのであれば特に限定されないが、通常、正面視略矩形状とされる。本実施態様の顔面保護具１０においても、顔面被覆シート１１は、図２に示すように、正面視略矩形状としている。ただし、顔面保護具１０を帽子５０に取り付けた際に鍔５１の両側からはみ出る部分の上側の角部、すなわち、顔面被覆シート１１の上縁と左縁部とが為す左上の角部と、顔面被覆シート１１の上縁と右縁部とが為す右上の角部は、斜め約４５度で直線状に切り欠いて形成している。これにより、図１に示すように、帽子５０に顔面保護具１０を取り付けた際に、顔面被覆シート１１で帽子５０の着用者の顔面前方だけでなく顔面側方を覆いながらも、顔面被覆シート１１の左上の角部及び右上の角部が着用者のこめかみの部分に突き当たらないようにするだけでなく、顔面被覆シート１１の左上の角部及び右上の角部が垂れ下がらないようにすることも可能となっている。また、顔面被覆シート１１の下縁と左縁部とが為す左下の角部と、顔面被覆シート１１の下縁と右縁部とが為す右下の角部は、円弧状に切り欠いて形成している。これにより、帽子５０に顔面保護具１０を取り付けた際に、顔面被覆シート１１の左下の角部及び右下の角部が着用者の胸などに突き当らないようにすることが可能となっている。
【００１４】
顔面被覆シート１１の横幅Ｗ（図２）は、それを取り付ける帽子５０の鍔５１の寸法などを考慮して決定される。すなわち、顔面被覆シート１１の横幅Ｗを狭くしすぎると、鍔５１の前端縁の全長に亘って顔面保護具１０を取り付けることができなくなる。一般的な成人用のキャップ型の帽子５０において、鍔５１の前端縁の長さは、３５〜４５ｃｍ程度である。このため、顔面被覆シート１１の横幅Ｗは、通常、３５ｃｍ以上とされる。顔面被覆シート１１の横幅Ｗは、４０ｃｍ以上であると好ましく、４５ｃｍ以上であるとより好ましい。一方、顔面被覆シート１１の横幅Ｗを広くしすぎると、顔面保護には寄与しない部分の面積が広くなるばかりか、顔面保護具１０を帽子５０に取り付けた際に、顔面被覆シート１１の両側が垂れ下がりやすくなる。加えて、顔面保護具１０の重量が増大し、帽子５０が前傾して脱げやすくなる。このため、顔面被覆シート１１の横幅Ｗは、通常、６０ｃｍ以下とされる。顔面被覆シート１１の横幅Ｗは、５５ｃｍ以下であると好ましく、５０ｃｍ以下であるとより好ましい。ただし、顔面保護具１０を子供用の帽子に取り付けるためのものとする場合には、顔面被覆シート１１の横幅Ｗを上述した寸法よりも狭くすることができる。
【００１５】
また、顔面被覆シート１１の縦長Ｌ（図２）は、帽子５０の着用者の顔の寸法などを考慮して決定される。すなわち、顔面被覆シート１１の縦長Ｌが短すぎると、着用者の顔面の一部が顔面被覆シート１１の下側から覗くようになる。一般的な成人の顎先から額上部までの高さは、２０ｃｍ前後である。このため、顔面被覆シート１１の縦長Ｌは、通常、２０ｃｍ以上とされる。顔面被覆シート１１の縦長Ｌは、２５ｃｍ以上とすると好ましく、３０ｃｍ以上とするとより好ましい。一方、顔面被覆シート１１の縦長Ｌが長すぎると、顔面保護には寄与しない部分の面積が広くなるばかりか、顔面保護具１０を帽子５０に取り付けて作業しようとした際に、垂れ下がった顔面被覆シート１１が作業の邪魔になるおそれがある。加えて、顔面保護具１０の重量が増大し、帽子５０が前傾して脱げやすくなる。このため、顔面被覆シート１１の縦長Ｌは、通常、５０ｃｍ以下とされる。顔面被覆シート１１の縦長Ｌは、４５ｃｍ以下であると好ましく、４０ｃｍ以下であるとより好ましい。ただし、顔面保護具１０を子供用の帽子に取り付けるためのものとする場合には、顔面被覆シート１１の縦長Ｌを上述した寸法よりも短くすることができる。
【００１６】
顔面被覆シート１１の材質は、必要な可撓性と強度を有するのであれば特に限定されない。例えば、金属線材からなるメッシュシートを用いることもできる。しかし、顔面保護具１０の軽量化や低コスト化などを考慮すると、ポリエステルやポリエチレンなどの合成樹脂からなる線材を互いに固着、編製又は織製したシートが好適である。本実施態様の顔面保護具１０においては、縦方向及び横方向に重ねた多数本のポリエステル繊維を互いに溶着したシートを顔面被覆シート１１として用いている。
【００１７】
ところで、本実施態様の顔面保護具１０においては、図２に示すように、顔面被覆シート１１の周縁（上縁及び下縁並びに左側縁及び右側縁）に沿って帯状のパイピング材１５を縫着している。これにより、顔面被覆シート１１の周縁をほつれにくくすることが可能になる。このうち、顔面被覆シート１１の上縁に沿って縫着されたパイピング材１５ａの内側には、図３に示すように、保形フレーム１６が収容されている。図３は、本発明の顔面保護具１０における顔面被覆シート１１の上縁周辺を図２におけるＸ−Ｘ面で切断した状態を示した断面図である。保形フレーム１６は、顔面被覆シート１１の上縁における左側クリップ１３が設けられた箇所から右側クリップ１４が設けられた箇所までに亘って延在している。これにより、図１に示すように、帽子５０に取り付けられた顔面保護具１０における顔面被覆シート１１の上縁を真っ直ぐに保ち、鍔５１と顔面被覆シート１１との間に大きな隙間が形成されないようにすることが可能となっている。加えて、帽子５０に対する顔面保護具１０の取付も容易となっている。
【００１８】
保形フレーム１６の形態は、通常、線状又は帯状とされる。保形フレーム１６の素材は、帽子５０の鍔５１の前端縁に沿って湾曲させることが可能な程度の弾性を有するのであれば特に限定されない。保形フレーム１６の素材としては、ポリウレタンなど、弾性変形可能な硬質樹脂のほか、金属を採用することもできる。本実施態様の顔面保護具１０においては、ポリウレタンからなるコード（線材）を保形フレーム１６として採用している。
【００１９】
［中央クリップ、左側クリップ及び右側クリップ］
中央クリップ１２、左側クリップ１３及び右側クリップ１４は、図１に示すように、それぞれ、帽子５０の鍔５１の前端縁における中央部、左部及び右部を挟持するための部分となっている。すなわち、図２に示すように、中央クリップ１２は、顔面被覆シート１１の上縁中央部に設けられ、左側クリップ１３は、顔面被覆シート１１の上縁における左端近傍に設けられ、右側クリップ１４は、顔面被覆シート１１の上縁における右端近傍に設けられる。左側クリップ１３と中央クリップ１２と右側クリップ１４の配置ピッチＰ（図２）は、通常、帽子５０の鍔５１の前端縁の半分の長さと同程度か僅かに短くなるように設定される。既に述べた通り、一般的な成人用のキャップ型の帽子５０において、鍔５１の前端縁の長さは、３５〜４５ｃｍ程度であるため、配置ピッチＰは、通常、１２〜２２ｃｍ、好ましくは、１５〜２０ｃｍとされる。本実施態様の顔面保護具１０においては、配置ピッチＰを約１６ｃｍとしている。
【００２０】
顔面被覆シート１１に対する中央クリップ１２、左側クリップ１３及び右側クリップ１４の固定方法は、特に限定されない。本実施態様の顔面保護具１０においては、図２に示すように、顔面被覆シート１１の上縁近傍の３箇所にループ形成材１７を縫着し、ループ形成材１７で形成されたループに中央クリップ１２、左側クリップ１３及び右側クリップ１４を取り付けている。ループ形成材１７は、可撓性を有する帯片を長手方向略中間部で折り返してその開いた側で重なる帯片を互いに縫着（図２における縫着部Ｂで縫着）したものである。このように、ループ形成材１７を介して各クリップ１２，１３，１４を取り付けることにより、帽子５０の鍔５１に対する各クリップ１２，１３，１４の取付位置を微調整することが可能になる。ループ形成材１７は、その上縁が顔面被覆シート１１の上縁から突き出ない位置に設けると、顔面保護具１０を帽子５０に取り付けた際に、顔面被覆シート１１の上縁と帽子５０の鍔５１との間の隙間を小さくすることが可能になる。
【００２１】
中央クリップ１２、左側クリップ１３及び右側クリップ１４は、帽子５０の鍔５１を挟持できるものであれば特に限定されないが、本実施態様の顔面保護具１０においては、図４に示す挟持体２０を備えたものを使用している。図４は、本発明の顔面保護具１０における中央クリップ１２、左側クリップ１３及び右側クリップ１４として採用した挟持体２０を示した側面図である。図４に示す挟持体２０は、下板２１と、下板２１の上側に配された上板２２と、下板２１と上板２２との間に配された中板２３とで構成されたものとなっている。
【００２２】
図４に示すように、下板２１の先端部には、上向き歯２１ａが形成されており、下板２１の左側縁及び右側縁における基端寄りの部分には、左右一対の軸受部２１ｂが上向きに形成されている。加えて、下板２１の基端部には、上向き突片２１ｃが形成されており、この上向き突片２１ｃには、嵌挿孔２１ｄが設けられている。また、上板２２の基端部には、下向き突片２２ａが形成されており、この下向き突片２２ａの左側縁及び右側縁には、左右に突き出た一対の突片からなる左右一対の軸支部２２ｂが形成されている。この左右一対の軸支部２２ｂは、それぞれ下板２１に形成された左右一対の軸受部２１ｂに設けられた軸孔に内側から挿入されて軸支された状態となっている。このため、上板２２は、下板２１に対して、図４の点Ｃを中心として矢印Ｄの向きに回動させることができるようになっている。さらに、中板２３の先端部には、下向き歯２３ａが形成されており、中板２３の基端部には、支持片２３ｂ，２３ｃが形成されている。支持片２３ｂは、中板２３の基端縁から外方に突き出た突片となっており、下板２１の嵌挿孔２１ｄに嵌挿されている。支持片２３ｃは、中板２３の左側縁及び右側縁から左右に突き出た突片となっており、下板２１の周囲に形成された側壁の上端面２１ｅの上に載せられた状態となっている。
【００２３】
図４の上図のように、下板２１に対して上板２２を開いた状態では、中板２３は、それ自体が有する弾性によって、その先端部が持ち上がった状態となっている。この状態から、上板２２を図４の矢印Ｄの向きに回動させて閉じると、図４の下図に示すように、中板２３の上面が下向き突片２２ａの下端で下側に押し付けられて中板２３も下側に押し付けられた状態となる。このとき、下板２１の上向き歯２１ａと、上板２２の下向き歯２３ａは、噛み合った状態となる。したがって、この挟持体２０は、下板２１と中板２３との間に帽子５０の鍔５１を挟んだ状態で上板２２を閉じることにより、上向き歯２１ａと下向き歯２３ａとがそれぞれ鍔５１の下面と上面に喰い込ませることができるようになっている。この挟持体２０は、帽子５０の鍔５１の厚さが変わっても、しっかりと挟持させることができるため、本発明の顔面保護具１０における中央クリップ１２、左側クリップ１３及び右側クリップ１４の挟持体として好適に採用できる。
【００２４】
［顔面保護具の取付方法］
最後に、帽子５０に対する顔面保護具１０の取付方法について説明する。本発明の顔面保護具１０は、図１に示すように、その中央クリップ１２、左側クリップ１３及び右側クリップ１４で、それぞれ帽子５０の鍔５１の前端縁における中央部、左部及び右部を挟持することにより、帽子５０の鍔５１の前端縁に取り付ける。中央クリップ１２、左側クリップ１３及び右側クリップ１４を挟持させる順番は、特に限定されないが、最初に、鍔５１の前端縁における中央部に中央クリップ１２を挟持させ、その後に、鍔５１の前端縁における左部及び右部にそれぞれ左側クリップ１３及び右側クリップ１４を挟持させると好ましい。これにより、鍔５１の前端縁の長さにかかわらず、顔面保護具１０を左右対称でバランスよく、かつ容易に取り付けることが可能である。
【符号の説明】
【００２５】
１０    顔面保護具
１１    顔面被覆シート
１２    中央クリップ
１３    左側クリップ
１４    右側クリップ
１５    パイピング材
１６    保形フレーム
１７    ループ形成材
２０    挟持体
２１    下板
２１ａ  上向き歯
２１ｂ  軸受部
２１ｃ  上向き突片
２１ｄ  嵌挿孔
２１ｅ  側壁の上端面
２２    上板
２２ａ  下向き突片
２２ｂ  軸支部
２３    中板
２３ａ  下向き歯
２３ｂ  支持片
２３ｃ  支持片
５０    帽子
５１    前鍔（鍔）
５２    クラウン
Ａ    縫着部
Ｂ    縫着部
Ｃ    上板の回動の中心
Ｄ    上板の回動する向き
Ｐ    左側クリップと中央クリップと右側クリップの配置ピッチ
Ｌ    顔面被覆シートの縦長
Ｗ    顔面被覆シートの横幅
【図１】
2014152432.tif 000003
【図２】
2014152432.tif 000004
【図３】
2014152432.tif 000005
【図４】
2014152432.tif 000006